【事件の表示】
　特願２００５−　　８３５９「印刷製品のコーティングを形成するための印刷機の装置」拒絶査定不服審判事件〔平成１７年　７月２８日出願公開、特開２００５−１９９７１８〕について、次のとおり審決する。
【結　論】
　本件審判の請求は、成り立たない。
【理　由】
第１　手続の経緯
　本願は、平成１７年１月１４日（パリ条約による優先権主張２００４年１月１５日、ドイツ）の出願であって、平成２０年７月２日付けで手続補正がなされ、同年７月３０日付けで拒絶査定がなされ、これに対して、同年１１月４日付けで拒絶査定不服審判の請求がなされたものである。
　
第２　本願発明
　本願の請求項１ないし８に係る発明は、平成２０年７月２日付けの手続補正により補正された明細書、特許請求の範囲及び図面の記載からみて、特許請求の範囲の請求項１ないし８に記載された事項によってそれぞれ特定されるものであるところ、請求項１に係る発明（以下「本願発明」という。）は、次のとおりのものである。
　
「印刷機において処理加工された印刷対象物をコーティングするためのニス引きユニットを有する、印刷機のコーティング形成装置であって、
　ニス引きユニットとして、別個のインクジェットプリンタが、インクジェットヘッド配列またはインクジェットヘッドビームの形式で、好ましくは大判の印刷対象物に列状に噴射するために使用され、
　印刷対象物がインクジェットヘッドの出口開口部の下を案内され、
　前記インクジェットヘッドが、制御ユニットによって、デジタル画線部データを介して制御操作されることを特徴とする装置。」
　
第３　引用刊行物及び引用発明
　原査定の拒絶の理由に引用された、本願の優先日前に頒布された刊行物である特開平１０−２８６９３９号公報（以下「引用例」という。）には、以下の事項が図とともに記載されている。（下線は審決で付した。以下同じ。）
　
１　「【００２５】そして、後に詳述する
インクジェット印刷機構３４を具備する付加印刷装置３０が
印刷ユニット
に併設されている
　
２　「【００３４】…（略）…図５に示すオフセット印刷用輪転機１においては、その始動により給紙ユニット１５から引き出された
連続紙Ｒは、印刷ユニット１１，１２，１３，１４に至り
印刷され
【００３５】
続いて、この連続紙Ｒは、付加印刷装置３０のインクジェット印刷機構３１の設置個所に至って
付加印刷が施される
【００３６】
付加印刷装置３０の作動、即ち付加印刷は、制御手段３６による制御のもとで行われ
【００４０】上記の電極３４３のドライバー３４５の作動制御を行う
制御手段３６は
付加印刷装置３０が印刷する画像の形状を形成する画像形状データ
をデータ源５０から受領する
　
３　「【００４４】…（略）…
インクジェット印刷機構３４のノズル部３４１の配置には
諸形態がある
【００４５】
第１形態
連続紙Ｒの全幅に亘る一本のノズル部３４１が連続紙Ｒの幅方向に沿って設けられ
第２形態
連続紙Ｒの全幅を適宜数
に分割した複数のノズル部３４１が連続紙Ｒの幅方向に沿って設けられ
　
４　図２及び図５から、
連続紙Ｒは、インクジェット印刷機構３４のオリフィス３４１ａの横の位置で印刷される
　
５　上記１ないし４から、引用例には、次の発明（以下「引用発明」という。）が記載されていると認められる。
　
「印刷ユニットに併設された、インクジェット印刷機構を具備する付加印刷装置であって、
　連続紙は、前記印刷ユニットに至り印刷され、続いて、前記付加印刷装置のインクジェット印刷機構のオリフィスの横に至って付加印刷が施され、
　前記付加印刷装置の作動、即ち付加印刷は、制御手段による制御のもとで行われ、
　前記制御手段は、前記付加印刷装置が印刷する画像の形状を形成する画像形状データをデータ源から受領するものであり、
　前記インクジェット印刷機構のノズル部の配置は、連続紙の全幅に亘る一本のノズル部が連続紙の幅方向に沿って設けられた第１形態か、連続紙の全幅を適宜数に分割した複数のノズル部が連続紙の幅方向に沿って設けられた第２形態である、
　付加印刷装置。」
　
第４　対比
　本願発明と引用発明とを対比する。
１　引用発明の「印刷ユニット」、「インクジェット印刷機構を具備する付加印刷装置」、「連続紙」、「印刷」、「オリフィス」、「制御手段」、「連続紙の全幅に亘る一本のノズル部が連続紙の幅方向に沿って設けられた第１形態」及び「連続紙の全幅を適宜数に分割した複数のノズル部が連続紙の幅方向に沿って設けられた第２形態」は、それぞれ、本願発明の「印刷機」、「別個のインクジェットプリンタ」、「印刷対象物」、「処理加工」、「出口開口部」、「制御ユニット」、「インクジェットヘッドビームの形式」及び「インクジェットヘッド配列『の形式』」に相当する。
　
２　引用発明の連続紙（印刷対象物）が、印刷ユニット（印刷機）に至り印刷（処理加工）され、続いて、付加印刷装置のインクジェット印刷機構のオリフィスの横に至って付加印刷が施されることから、引用発明の「付加印刷装置」と本願発明の「印刷機において処理加工された印刷対象物をコーティングするためのニス引きユニットを有する、印刷機のコーティング形成装置」とは、「印刷機において処理加工された印刷対象物を付加処理するための付加処理ユニットを有する、印刷機の付加処理装置」である点で一致するといえる。
　
３　引用発明のインクジェット印刷機構のノズル部の配置が、連続紙（印刷対象物）の全幅に亘る一本のノズル部が連続紙の幅方向に沿って設けられた第１形態（インクジェットヘッドビームの形式）か、連続紙の全幅を適宜数に分割した複数のノズル部が連続紙の幅方向に沿って設けられた第２形態（インクジェットヘッド配列の形式）であること、本願発明の「好ましくは大判の」が、任意付加的な事項であって、「印刷対象物」の良好な一例を挙げているにすぎないこと、及び上記２から、引用発明の「別個のインクジェットプリンタ（インクジェット印刷機構を具備する付加印刷装置）」と本願発明の「『ニス引きユニットとして、インクジェットヘッド配列またはインクジェットヘッドビームの形式で、好ましくは大判の印刷対象物に列状に噴射するために使用され』る別個のインクジェットプリンタ」とは、「付加処理ユニットとして、インクジェットヘッド配列またはインクジェットヘッドビームの形式で、好ましくは大判の印刷対象物に列状に噴射するために使用される」ものである点で一致するといえる。
　
４　引用発明の連続紙（印刷対象物）が、インクジェット印刷機構のオリフィス（出口開口部）の横に至って付加印刷が施されることから、引用発明の「印刷対象物」と本願発明の「『インクジェットヘッドの出口開口部の下を案内され』る印刷対象物」とは、「インクジェットヘッドの出口開口部の近くを案内される」ものである点で一致するといえる。
　
５　引用発明の「画像形状データ」は、インクジェット印刷機構を具備する付加印刷装置が印刷する画像の形状を形成するもので、デジタルデータであることが明らかであるから、本願発明の「デジタル画線部データ」に相当する。
　
６　引用発明において、連続紙が、付加印刷装置のインクジェット印刷機構のオリフィスの横に至って付加印刷が施され、前記付加印刷が、制御手段（制御ユニット）による制御のもとで行われ、前記制御手段が、付加印刷装置が印刷する画像の形状を形成する画像形状データ（デジタル画線部データ）をデータ源から受領することから、引用発明は、本願発明の「インクジェットヘッドが、制御ユニットによって、デジタル画線部データを介して制御操作される」という事項を備えている。
　
７　上記１ないし６から、本願発明と引用発明とは、
「印刷機において処理加工された印刷対象物を付加処理するための付加処理ユニットを有する、印刷機の付加処理装置であって、
　付加処理ユニットとして、インクジェットヘッド配列またはインクジェットヘッドビームの形式で、好ましくは大判の印刷対象物に列状に噴射するために使用され、
　印刷対象物がインクジェットヘッドの出口開口部の近くを案内され、
　前記インクジェットヘッドが、制御ユニットによって、デジタル画線部データを介して制御操作される装置。」
である点で一致し、次の点で相違する。
　
相違点：
　本願発明では、前記付加処理装置が、「印刷対象物をコーティングするためのニス引きユニットを有する、印刷機のコーティング形成装置」であり、前記印刷対象物が案内される位置が、インクジェットヘッドの出口開口部の「下」であるのに対して、
　引用発明では、前記付加処理装置が、付加印刷を施すインクジェット印刷機構を具備する付加印刷装置であり、前記印刷対象物が案内される位置が、インクジェット印刷機構のオリフィスの「横」である点。
　
第５　判断
　上記相違点について検討する。
１　相違点について
（１）インクジェットヘッドを用いて、その下に位置する印刷後の印刷媒体にコーティングを施すことは、本願の優先日前に周知である（以下「周知技術」という。例．特開２０００−３３５０４３号公報（【０００９】、【００１２】、【００２０】及び図１参照。【０００９】には「本発明は、上述の問題を解決することを課題としてなされたものであり、その目的は、単一のシステムの容易な構成で、
印刷が施された担持媒体上に保護オーバーコート層を形成
追加プリントヘッドを使用して、（保護）オーバーコート材料を担持媒体１２に塗布
追加プリントヘッドを
オーバーコーティングヘッド１１と称し
オーバーコーティングヘッド１１
が担持媒体１２の上を前後に動かされ
圧電型のインクジェットオーバーコーティングヘッド１１
インクジェット方式の記録ヘッド
記録ヘッド２１の下流側に
コーティング用ヘッド２５が
ある。コーティング用ヘッド２５も、コーティング剤の吐出方向が下向きに設定され
コーティング用ヘッド２５として
記録ヘッド２１と同様な構造のものを用い
（２）上記（１）から、引用発明の付加印刷装置を、付加印刷と同様の付加処理であるコーティングに用い、この装置の下に連続紙を案内してコーティングを施すようにすることは、当業者が周知技術に基づいて容易に想到し得たことである。
（３）上記（２）の付加印刷装置をコーティングに用いたものは、本願発明の「印刷対象物をコーティングするためのニス引きユニットを有する、印刷機のコーティング形成装置」に相当する。
（４）上記（２）及び（３）から、引用発明において、上記相違点に係る本願発明の構成となすことは、当業者が周知技術に基づいて容易になし得たことである。
　
２　効果について
　本願発明が奏する効果は、引用発明及び周知技術がそれぞれ奏する効果から当業者が予測し得たものである。
　
３　まとめ
　したがって、本願発明は、当業者が、引用例に記載された発明及び周知技術に基づいて容易に発明をすることができたものである。
　
第６　むすび
　以上のとおり、本願発明は、当業者が、引用例に記載された発明及び周知技術に基づいて容易に発明をすることができたものであるから、特許法第２９条第２項の規定により特許を受けることができない。
　よって、結論のとおり審決する。